(57)【要約】【課題】異なる放送エリアで放送されている同じ番組が存在するとき、それぞれの放送エリアで同じ番組を容易に選局するための手段を提供する。【解決手段】番組、チャンネル、送信局位置などの情報を番組情報放送信号として映像、音声などの地上放送方式と異なる放送方式で放送することで、移動受信時に異なる放送エリアで放送されている同じ番組が存在するとき、番組情報放送信号を用いて、それぞれの放送エリアで自動的に同じ番組を選局することで、地上放送信号の番組の情報量（映像、音声などの情報量）を減らすことなく、受信位置の移動による放送エリアの変化によっても同じ番組を見続けることができる。【選択図】  図４
2004336093.tif 000002
【特許請求の範囲】
【請求項１】
番組を放送する放送手段と、前記放送される番組を受信する放送受信手段と、番組情報を放送する番組情報放送手段と、前記番組情報を受信する番組情報受信手段と、ＧＰＳアンテナで上記番組を受信している位置情報を検索する位置情報検索手段を備え、前記放送手段と前記番組情報放送手段は異なる放送方式であり、前記放送受信手段は、前記番組情報受信手段で受信した情報と前記位置情報検出手段で検出した位置情報に基づき、同じ番組を受信するように選局チャンネルを切り換えることを特徴とする放送受信装置。
【請求項２】
番組を放送する放送手段と、放送されている番組を受信する放送受信手段と、番組情報を放送している番組情報放送手段と、番組情報を受信する番組情報受信手段と、ＧＰＳアンテナで上記番組を受信している位置情報を検索する位置情報検索手段があり、尚且つ上記放送手段と上記番組情報放送手段が異なる放送方式であり、
上記番組情報放送手段は上記番組情報放送手段の存在する位置周辺で放送されているすべての番組情報とチャンネル周波数情報と放送エリアを示す位置情報を放送し、上記番組情報受信手段は上記番組情報放送手段の存在する位置周辺で放送されているすべての上記番組情報と上記チャンネル周波数情報と上記位置情報を受信し、
上記位置情報検索手段で検索した位置情報と、上記番組情報放送手段の存在する位置周辺で放送されているすべての番組情報を元に、現在放送エリアＡで番組１を受信している状態で、その後移動により放送エリアＡから放送エリアＢに移動し、放送エリアＡの番組１と異なる周波数で同じ番組１を放送エリアＢで放送している場合には、自動的に放送エリアＡの番組１から放送エリアＢの番組１に切り換わることを特徴とする放送受信装置。
【請求項３】
番組を放送する放送手段と、放送されている番組を受信する放送受信手段と、番組情報を放送している番組情報放送手段と、番組情報を受信する番組情報受信手段と、ＧＰＳアンテナで上記番組を受信している位置情報を検索する位置情報検索手段と、受信している番組の受信状態を示す受信状態検出手段があり、尚且つ上記放送手段と上記番組情報放送手段が異なる放送方式であり、
上記番組情報受信手段で受信した情報と上記位置情報検出手段で検出した位置情報と上記受信状態検出手段で検出した受信状態を元に、番組を受信している位置が変化することにより受信している番組の放送エリアが異なっても、自動的に同じ番組に切り換わることを特徴とする放送受信装置。
【請求項４】
番組を放送する放送手段と、放送されている番組を受信する放送受信手段と、番組情報を放送している番組情報放送手段と、番組情報を受信する番組情報受信手段と、ＧＰＳアンテナで上記番組を受信している位置情報を検索する位置情報検索手段と、受信している番組の受信状態を示す受信状態検出手段があり、尚且つ上記放送手段と上記番組情報放送手段が異なる放送方式であり、
上記番組情報放送手段は上記番組情報放送手段の存在する位置周辺で放送されているすべての番組情報とチャンネル周波数情報と放送エリアを示す位置情報を放送し、上記番組情報受信手段は上記番組情報放送手段の存在する位置周辺で放送されているすべての上記番組情報と上記チャンネル周波数情報と上記位置情報を受信し、
上記位置情報検索手段で検索した位置情報と上記番組情報放送手段の存在する位置周辺で放送されているすべての番組情報と上記受信状態検出手段で検出した受信状態を元に、現在放送エリアＡで番組１を受信している状態で、その後移動により放送エリアＡから放送エリアＢに移動し、放送エリアＡの番組１と異なる周波数で同じ番組１を放送エリアＢで放送しており、尚且つ上記受信状態検出手段で放送エリアＡの番組１の受信状態が悪いと検出された場合には、自動的に放送エリアＡの番組１から放送エリアＢの番組１に切り換わることを特徴とする放送受信装置。
【発明の詳細な説明】
【０００１】
【発明の属する技術分野】
本発明は、車に搭載されているテレビジョン受信機や個人で持ち運べるような小型のテレビジョン受信機など、移動したところでも送信されている映像、音声または情報を受信できる、いわゆる移動受信用テレビジョン受信装置に関するものである。
【０００２】
【従来の技術】
テレビジョン放送やラジオ放送は多数の送信局から送信される送信情報で構成され、多数の送信局から発せられる放送波はできるだけ異なった周波数になるように設定されている。そのため、図８のように、例えば、車で移動しながら車に乗せているテレビジョン受信機でテレビジョン放送を受信する場合、放送エリアＡで番組Ｈを視聴していたあとにその車が放送エリアＢに移動したときには、エリアＢで同じ番組Ｈが放送されているとしても、放送エリアＡで放送されている番組Ｈのチャンネル周波数と放送エリアＢで放送されている番組Ｈのチャンネル周波数が異なるため、放送エリアＢでこの車は番組Ｈが視聴できなくなる。このような従来の先行技術としては、（特許文献１）、（特許文献２）または（特許文献３）などが知られている。
【０００３】
（特許文献１）や（特許文献３）に記載されている技術では、視聴するテレビジョン放送波の中には、多重化された映像、音声またはデータが含まれており、そのデータには受信する放送エリアおよび隣接する放送エリアのすべての放送事業者を区別する情報や、番組情報や、放送事業者系列を示す情報や、放送事業者のもつ送信局のチャンネル周波数情報お呼び位置情報が含まれている。これらの情報と車に搭載されているＧＰＳ受信機から受信している位置情報をもとに、受信している放送エリアが変わっても、その放送エリアで同じ番組を放送している場合にはその番組のチャンネル周波数を選局することにより、同じ番組を見続けることができる。
【０００４】
（特許文献３）の場合、視聴するテレビジョン放送波の中には、多重化された映像、音声、データが含まれており、受信したチャンネルの番組情報、放送事業者を区別する情報、その番組を放送しているすべての送信局のチャンネル周波数情報および位置情報が含まれている。これらの情報と車に搭載されているＧＰＳ受信機から受信している位置情報をもとに、受信している放送エリアが変わっても同じ番組を放送している別のチャンネル周波数を選局することにより、同じ番組を見続けることができる。
【０００５】
【特許文献１】
特開２００１−５３６３５号公報
【特許文献２】
特開２００１−７７７１２号公報
【特許文献３】
特開２００１−１６９１９５号公報
【０００６】
【発明が解決しようとする課題】
従来のような放送受信装置では、１チャンネル当たりの帯域に、放送事業者を区別する情報や、番組情報や、放送事業者系列を示す情報や、放送事業者のもつ送信局のチャンネル周波数情報など（以下、データ情報と記す）が多く含まれ、テレビジョン放送の映像、音声とともに多重化する場合、これらのデータ情報が占める割合が大きくなる場合、映像、音声に使用できる情報量が少なくなるため、多くの情報量を必要とする高画質放送のサービスができなくなるという問題が生じる。
【０００７】
【課題を解決するための手段】
（１）第１の発明
第１の発明に係わる放送受信装置は、
番組放送を受信する放送受信手段と、
前記番組放送に関連する番組情報を受信する番組情報受信手段と、
位置情報を受信する位置情報受信手段と、
前記位置情報から位置を検索する位置情報検索手段とを備え、
前記番組放送と前記番組情報とは放送方式が異なり、
前記番組情報受信手段で受信した番組情報と前記位置情報検出手段で検出した情報を元に、番組を受信している位置が変化することにより受信している番組の放送エリアが異なっても、自動的に同じ番組に切り換わることを特徴とし、
第１の発明に係わる放送受信装置においては、放送されている番組の情報量を減らすことなく、受信位置の移動により放送エリアが変化しても、移動先の放送エリアで移動前の放送エリアで受信していた番組と同じ番組が放送されている場合には、自動的に同じ番組に切り換わることを可能にする。
【０００８】
（２）第２の発明
第２の発明に係わる放送受信装置は、番組を放送する放送手段と、放送されている番組を受信する放送受信手段と、番組情報を放送している番組情報放送手段と、番組情報を受信する番組情報受信手段と、ＧＰＳアンテナで上記番組を受信している位置情報を検索する位置情報検索手段があり、尚且つ上記放送手段と上記番組情報放送手段が異なる放送方式であり、
上記番組情報放送手段は上記番組情報放送手段の存在する位置周辺で放送されているすべての番組情報とチャンネル周波数情報と放送エリアを示す位置情報を放送し、上記番組情報受信手段は上記番組情報放送手段の存在する位置周辺で放送されているすべての上記番組情報と上記チャンネル周波数情報と上記位置情報を受信し、
上記位置情報検索手段で検索した位置情報と、上記番組情報放送手段の存在する位置周辺で放送されているすべての番組情報を元に、現在放送エリアＡで番組１を受信している状態で、その後移動により放送エリアＡから放送エリアＢに移動し、放送エリアＡの番組１と異なる周波数で同じ番組１を放送エリアＢで放送している場合には、自動的に放送エリアＡの番組１から放送エリアＢの番組１に切り換わることを特徴とし、
第２の発明に係わる放送受信装置においては、放送されている番組の情報量を減らすことなく、受信位置の移動により放送エリアが変化しても、移動先の放送エリアで移動前の放送エリアで受信していた番組と同じ番組が放送されている場合には、自動的に同じ番組に切り換わることを可能にする。
【０００９】
（３）第３の発明
第３の発明に係わる放送受信装置は、番組を放送する放送手段と、放送されている番組を受信する放送受信手段と、番組情報を放送している番組情報放送手段と、番組情報を受信する番組情報受信手段と、ＧＰＳアンテナで上記番組を受信している位置情報を検索する位置情報検索手段と、受信している番組の受信状態を示す受信状態検出手段があり、尚且つ上記放送手段と上記番組情報放送手段が異なる放送方式であり、
上記番組情報受信手段で受信した情報と上記位置情報検出手段で検出した位置情報と上記受信状態検出手段で検出した受信状態を元に、番組を受信している位置が変化することにより受信している番組の放送エリアが異なっても、自動的に同じ番組に切り換わることを特徴とし、
第３の発明に係わる放送受信装置においては、放送されている番組の情報量を減らすことなく、受信位置の移動により放送エリアが変化しても、移動先の放送エリアで移動前の放送エリアで受信していた番組と同じ番組が放送されている場合には、自動的に同じ番組に切り換わることを可能にする。
【００１０】
（４）第４の発明
第４の発明に係わる放送受信装置は、番組を放送する放送手段と、放送されている番組を受信する放送受信手段と、番組情報を放送している番組情報放送手段と、番組情報を受信する番組情報受信手段と、ＧＰＳアンテナで上記番組を受信している位置情報を検索する位置情報検索手段と、受信している番組の受信状態を示す受信状態検出手段があり、尚且つ上記放送手段と上記番組情報放送手段が異なる放送方式であり、
上記番組情報放送手段は上記番組情報放送手段の存在する位置周辺で放送されているすべての番組情報とチャンネル周波数情報と放送エリアを示す位置情報を放送し、上記番組情報受信手段は上記番組情報放送手段の存在する位置周辺で放送されているすべての上記番組情報と上記チャンネル周波数情報と上記位置情報を受信し、
上記位置情報検索手段で検索した位置情報と上記番組情報放送手段の存在する位置周辺で放送されているすべての番組情報と上記受信状態検出手段で検出した受信状態を元に、現在放送エリアＡで番組１を受信している状態で、その後移動により放送エリアＡから放送エリアＢに移動し、放送エリアＡの番組１と異なる周波数で同じ番組１を放送エリアＢで放送しており、尚且つ上記受信状態検出手段で放送エリアＡの番組１の受信状態が悪いと検出された場合には、自動的に放送エリアＡの番組１から放送エリアＢの番組１に切り換わることを特徴とし、
第４の発明に係わる放送受信装置においては、放送されている番組の情報量を減らすことなく、受信位置の移動により放送エリアが変化しても、移動先の放送エリアで移動前の放送エリアで受信していた番組と同じ番組が放送されている場合には、自動的に同じ番組に切り換わることを可能にする。
【００１１】
（５）第５の発明
第５の発明に係わる放送受信装置は、第１〜第４の発明に関わる放送受信装置であって、
放送エリアＡで番組１を受信している状態で、その後移動により放送エリアＡから放送エリアＢに移動し、放送エリアＡの番組１と異なる周波数で同じ番組１を放送エリアＢで放送していないとき、放送エリアＢで行っているテレビジョン放送の映像をすべてモニタに表示させ、エリアＢで見たい番組を視聴者が選択できることを特徴とし、
第５の発明に係わる放送受信装置においては、受信位置の移動により放送エリアが変化しても、移動先の放送エリアで移動前の放送エリアで受信していた番組と同じ番組が放送されていない場合には、移動先で放送されているすべての番組をモニタに表示して、視聴者がその中から番組を選択することを可能にする。
【００１２】
【発明の実施の形態】
以下、本発明の放送受信装置について、その実施の形態例を図面を参照しながら説明する。
【００１３】
（実施の形態１）
本発明の放送受信装置で受信する地上放送と番組情報放送の送信局の放送エリアの例を示したものが図１である。
【００１４】
１は送信局ＡＡ、２は送信局ＢＢ、３は送信局ＣＣ、４は送信局ＤＤで、それぞれの送信局からはＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）変調または８ＶＳＢ（Ｖｅｓｔｉｇｉａｌ  ｓｉｄｅ  ｂａｎｄ）変調またはＮＴＳＣ方式の変調信号などが送信されている。
【００１５】
５は番組情報放送局ＥＥ、６は番組情報放送局ＦＦ、７は番組情報放送局ＧＧ、８は番組情報放送局ＨＨで、それぞれの番組情報放送局ＥＥ５、番組情報放送局ＦＦ６、番組情報放送局ＧＧ７，番組情報放送局ＨＨ８の周辺の送信局で放送されているチャンネル周波数情報、送信局位置情報、番組情報が送信されている。
【００１６】
番組情報放送局ＥＥからは図２に示すようなチャンネル情報、番組情報、送信局位置情報を放送し、番組情報放送局ＦＦからは図３に示すようなチャンネル情報、番組情報、送信局位置情報を放送している場合を例に挙げ、実施の形態１の放送受信装置の構成とその動作について説明する。
【００１７】
図４は本実施の形態１の放送受信装置の構成を示す図である。
【００１８】
１３は送信局から送信される地上放送信号で、デジタル放送の場合はＯＦＤＭ信号、８ＶＳＢ信号、アナログ放送の場合はＮＴＳＣ信号などが送信局から送信される。１４は地上放送信号１３を受信する地上放送受信機、１５は地上放送受信機１４から出力される映像を表示するモニタ、１６は地上放送チャンネルを選局するためのチャンネル選局情報、１７は地上放送受信機１４のチャンネル選局を制御するマイコン、１９は番組情報を送信する番組情報放送信号で、アナログ音声放送のＦＭ多重信号に番組情報を載せて番組情報放送局から送信される。
【００１９】
２０は衛星から送信されてくる位置検索用のＧＰＳ（Ｇｌｏｂａｌ  ｐｏｓｉｔｉｏｎｉｎｇ  ｓｙｓｔｅｍ）信号、２２はＧＰＳ信号２０から受信位置情報２６を検出する位置検出器、２１は番組情報放送信号１９から受信位置周辺で放送されているすべての番組情報２３、チャンネル周波数情報２４、送信局位置情報２５を受信する番組情報受信機、２７は現在選局されている受信チャンネル情報１８とチャンネル情報２４の情報が一致する番組情報を選択する受信番組情報選択器、２８は受信番組情報選択器２７から出力された番組情報２９のチャンネル情報３０、送信局位置情報３１を選択する同一番組情報選択器、３２は受信位置情報２６と送信局位置情報３１から現在の受信位置で最も近い位置にある送信局のチャンネル情報３０を選択するチャンネル情報選択器で、チャンネル情報選択器３２で選択されたチャンネル情報３３はマイコン１７に入力される。
【００２０】
以下、図１の各送信局から図３のチャンネル情報、番組情報、送信局位置情報で地上放送が行われ、番組情報放送局ＥＥからは図２のチャンネル情報、番組情報、送信局位置情報が送信され、番組情報放送局ＦＦからは図３のチャンネル情報、番組情報、送信局位置情報が送信されている場合を例に挙げ、車で放送エリアＡから放送エリアＢに移動する場合に図４の各ブロックがどのように動作するかを説明する。
【００２１】
車が放送エリアＡにあり、視聴者が放送局Ｖのチャンネル１ｃｈを選局して、番組１を車載搭載のモニタに表示する。その後、番組情報放送局ＥＥから図２のすべての番組情報、チャンネル情報、送信局位置情報を入手すると、受信番組情報選択器２７から出力される番組情報２９は「番組１」になる。番組情報２９が「番組１」になると、同一番組情報選択器２８からは「番組１」に相当するチャンネル情報３０と送信局位置情報３１が同一番組情報選択器２８から出力される。つまり放送局Ｖの１ｃｈ、緯度１０／経度１０と放送局Ｙの４ｃｈ、緯度１０／経度２０と放送局Ｖの７ｃｈ、緯度２０／経度１５が同一番組情報選択器２８から出力される。
【００２２】
一方、ＧＰＳ信号２０を元に位置検出器２２からは、緯度１２／経度１０の受信位置情報２６が出力されるとすると、チャンネル情報選択器３２で同一番組情報選択器２８から出力された送信局位置情報３１で最も近い位置にある送信局のチャンネル情報を選択し、チャンネル情報３３として出力される。この場合は、車は放送エリアＡにいるため、チャンネル情報３３は１ｃｈとなり、モニタに表示されるのは放送局Ｖのチャンネル１ｃｈ、「番組１」が表示されたままである。
【００２３】
さらに車が移動して放送エリアＢの中に車が入り、番組情報放送局ＦＦから図３のすべての番組情報、チャンネル情報、送信局位置情報を入手すると、受信番組情報選択器２７から出力される番組情報２９は「番組１」になる。番組情報２９が「番組１」になると、同一番組情報選択器２８からは「番組１」に相当するチャンネル情報３０と送信局位置情報３１が同一番組情報選択器２８から出力される。つまり放送局Ｖの１ｃｈ、緯度１０／経度１０と放送局Ｙの４ｃｈ、緯度１０／経度２０と放送局Ｖの７ｃｈ、緯度２０／経度１５と放送局Ｙの１０ｃｈ、緯度１０／経度３０が同一番組情報選択器２８から出力される。
【００２４】
一方、ＧＰＳ信号２０を元に位置検出器２２からは、緯度１２／経度２０の受信位置情報２６が出力されるとすると、チャンネル情報選択器３２で同一番組情報選択器２８から出力された送信局位置情報３１で最も近い位置にある送信局のチャンネル情報を選択し、チャンネル情報３３として出力される。この場合は、車は放送エリアＢにいるため、チャンネル情報３３は４ｃｈとなり、モニタに表示されるのは放送局Ｙのチャンネル４ｃｈに切り換えられ、同じ「番組１」が表示されたままになる。
【００２５】
ここで、番組情報送信局ＥＥ、番組情報送信局ＦＦ、番組情報送信局ＧＧ、番組情報送信局ＨＨのチャンネル情報、送信局位置情報はあらかじめ番組情報受信機２１に登録されていることを前提にしている。
【００２６】
また、（実施の形態１）では、地上放送の送信局位置情報２５が確定していない場合を例に挙げて説明しているが、送信局位置情報２５が確定している場合には、送信局位置情報をあらかじめ番組情報受信機２１に登録し、番組情報放送信号１９は番組情報２３、チャンネル情報２４のみを放送することも可能である。
【００２７】
これにより番組情報放送信号１９をすでに全地域で放送されているＦＭ多重放送で放送することにより、地上放送信号の番組の情報量（映像、音声などの情報量）を減らすことなく、受信位置の移動により放送エリアが変化しても、移動先の放送エリアで移動前の放送エリアで受信していた番組と同じ番組が放送されている場合には、自動的に同じ番組に切り換えることができる。
【００２８】
（実施の形態２）
図５に実施の形態２の構成を示す。
【００２９】
現在の受信している信号の受信状態を示す受信状態検出信号３５が、地上放送受信機１４からマイコン１７に出力されている以外は、（実施の形態１）の構成と同じである。
【００３０】
図６は受信状態検出信号を出力する地上放送受信機の構成例である。
【００３１】
３６はＲＦ（Ｒａｄｉｏ  Ｆｒｅｑｕｅｎｃｙ）信号を中間周波信号に周波数変換するチューナ、３７はＲＦ信号のレベルを検出するレベル検出器、３８はＮＴＳＣ信号をＡＭ検波、ＦＭ検波するＡＭ／ＦＭ検波器、３９はＯＦＤＭ信号、８ＶＳＢ信号を復調するＯＦＤＭ／８ＶＳＢ復調器、４０はＯＦＤＭ／８ＶＳＢ復調器からの復調信号を元に誤り率を検出する誤り率検出器、４１は映像、音声をデコードしモニタ１５に映像、音声データを出力する映像／音声デコーダ、４３は自動利得制御器３７で検出したＲＦ信号の信号レベル４２と誤り率検出器４０で検出した誤り率４１を元に受信状態の良し悪しを検出する受信状態検出器である。
【００３２】
ＮＴＳＣ信号受信時にはレベル信号４２を元に受信状態検出信号４４を出力し、ＯＦＤＭ信号、８ＶＳＢ信号受信時には誤り率４１とレベル信号４２を元に受信状態検出信号４４を出力している。具体的にはＮＴＳＣ信号受信時にはレベル信号４２がある閾値より大きい場合に字受信状態良し、レベル信号４２がある閾値より小さい場合には受信状態悪し、ＯＦＤＭ信号、８ＶＳＢ信号受信時には誤り率４１がある閾値より小さい場合に受信状態良し、誤り率４１がある閾値より小さい場合に受信状態悪しの信号を出力する。尚、ＯＦＤＭ信号、８ＶＳＢ信号受信時には誤り率４１のみを元に受信状態検出信号４４を出力してもよい。
【００３３】
以下、図１の各送信局から図３のチャンネル情報、番組情報、送信局位置情報で地上放送が行われ、番組情報放送局ＥＥからは図２のチャンネル情報、番組情報、送信局位置情報が送信され、番組情報放送局ＦＦからは図３のチャンネル情報、番組情報、送信局位置情報が送信されている場合を例に挙げ、車で放送エリアＡから放送エリアＢに移動する場合に図５の各ブロックどのように動作するかを説明する。
【００３４】
車が放送エリアＡにあり、視聴者が放送局Ｖのチャンネル１ｃｈを選局して、番組１をモニタに表示する。その後、番組情報放送局ＥＥから図２のすべての番組情報、チャンネル情報、送信局位置情報を入手すると、受信番組情報選択器２７から出力される番組情報２９は「番組１」になる。番組情報２９が「番組１」になると、同一番組情報選択器２８からは「番組１」に相当するチャンネル情報３０と送信局位置情報３１が同一番組情報選択器２８から出力される。つまり放送局Ｖの１ｃｈ、緯度１０／経度１０と放送局Ｙの４ｃｈ、緯度１０／経度２０と放送局Ｖの７ｃｈ、緯度２０／経度１５が同一番組情報選択器２８から出力される。
【００３５】
一方、ＧＰＳ信号２０を元に位置検出器２２からは、緯度１２／経度１０の受信位置情報２６が出力されるとすると、チャンネル情報選択器３２で同一番組情報選択器２８から出力された送信局位置情報３１で最も近い位置にある送信局のチャンネル情報を選択し、チャンネル情報３３として出力される。この場合は、車は放送エリアＡにいるため、チャンネル情報３３は１ｃｈとなり、モニタに表示されるのは放送局Ｖのチャンネル１ｃｈ、「番組１」が表示されたままである。
【００３６】
さらに車が移動して放送エリアＢの中に車が入ると、番組情報放送局ＦＦから図３のすべての番組情報、チャンネル情報、送信局位置情報を入手すると、受信番組情報選択器２７から出力される番組情報２９は「番組１」になる。番組情報２９が「番組１」になると、同一番組情報選択器２８からは「番組１」に相当するチャンネル情報３０と送信局位置情報３１が同一番組情報選択器２８から出力される。つまり放送局Ｖの１ｃｈ、緯度１０／経度１０と放送局Ｙの４ｃｈ、緯度１０／経度２０と放送局Ｖの７ｃｈ、緯度２０／経度１５、放送局Ｙの１０ｃｈ、緯度１０／経度３０が同一番組情報選択器２８から出力される。
【００３７】
一方、ＧＰＳ信号２０を元に位置検出器２２からは、緯度１２／経度２０の受信位置情報２６が出力されるとすると、チャンネル情報選択器３２で同一番組情報選択器２８から出力された送信局位置情報３１で最も近い位置にある送信局のチャンネル情報を選択し、チャンネル情報３３として出力される。つまりチャンネル情報３３からは放送局Ｙのチャンネル４ｃｈが出力される。
【００３８】
受信位置が放送エリアＡから放送エリアＢへ移動することにより、チャンネル情報３３からの出力が放送局Ｖからのチャンネル１ｃｈから放送局Ｙからのチャンネル４ｃｈに変化したとき、現在受信しているチャンネル１ｃｈの受信状態が受信状態検出器４３で良いと判別された場合には、選局チャンネルはチャンネル１ｃｈのままにされる。一方受信状態検出器４３で受信状態が悪いと判別された場合には、チャンネル情報３３は４ｃｈとなり、モニタに表示されるのは放送局Ｙのチャンネル４ｃｈに切り換えられ、同じ「番組１」が表示されたままになる。
【００３９】
ここで、番組情報送信局ＥＥ、番組情報送信局ＦＦ、番組情報送信局ＧＧ、番組情報送信局ＨＨのチャンネル情報、送信局位置情報はあらかじめ番組情報受信機２１に登録されていることを前提にしている。
【００４０】
また、（実施の形態１）では、地上放送の送信局位置情報２５が確定していない場合を例に挙げて説明しているが、送信局位置情報２５が確定している場合には、送信局位置情報をあらかじめ番組情報受信機２１に登録し、番組情報放送信号１９は番組情報２３、チャンネル情報２４のみを放送することも可能である。
【００４１】
これにより番組情報放送信号１９をすでに全地域で放送されているＦＭ多重放送で放送することにより、地上放送信号の番組の情報量（映像、音声などの情報量）を減らすことなく、受信位置の移動により放送エリアが変化しても、移動先の放送エリアで移動前の放送エリアで受信していた番組と同じ番組が放送されている場合には、自動的に同じ番組に切り換えることができる。
【００４２】
（実施の形態３）
図７に実施の形態３の構成を示す。
【００４３】
現在受信している受信位置において、今まで受信していたチャンネルの有無を示すチャンネル有無情報４５がチャンネル情報選択器３２からマイコン１７に入力され、番組情報受信機２１からのチャンネル情報２４がマイコン１７に入力されている以外は、（実施の形態１）、（実施の形態２）の構成と同じである。ここでチャンネル情報選択器３２から出力されるチャンネル有無情報４５は、位置検出器２２から出力される受信位置情報２６と同一番組情報選択器２８から出力されるすべての送信局位置情報３１との距離がある一定の距離以上離れている場合には、現在の受信位置では今まで受信していたチャンネルの番組が放送されていないことを示している。
【００４４】
以下、図１の各送信局から図３のチャンネル情報、番組情報、送信局位置情報で地上放送が行われ、番組情報放送局ＥＥからは図２のチャンネル情報、番組情報、送信局位置情報が送信され、番組情報放送局ＦＦからは図３のチャンネル情報、番組情報、送信局位置情報が送信されている場合を例に挙げ、車で放送エリアＡから放送エリアＢに移動する場合に図７の各ブロックどのように動作するかを説明する。
【００４５】
車が放送エリアＡにあり、視聴者が放送局Ｘのチャンネル３ｃｈを選局して、「番組３」をモニタに表示する。その後、番組情報放送局ＥＥから図２のすべての番組情報、チャンネル情報、送信局位置情報を入手すると、受信番組情報選択器２７から出力される番組情報２９は番組３になる。番組情報２９が「番組３」になると、同一番組情報選択器２８からは番組３に相当するチャンネル情報３０と送信局位置情報３１が同一番組情報選択器２８から出力される。つまり放送局Ｘの３ｃｈ、緯度１０／経度１０と放送局Ｘの９ｃｈ、緯度２０／経度１５が同一番組情報選択器２８から出力される。
【００４６】
一方、ＧＰＳ信号２０を元に位置検出器２２からは、緯度１２／経度１０の受信位置情報２６が出力されるとすると、チャンネル情報選択器３２で同一番組情報選択器２８から出力された送信局位置情報３１で最も近い位置にある送信局のチャンネル情報を選択し、チャンネル情報３３として出力される。この場合は、車は放送エリアＡにいるため、チャンネル情報３３は３ｃｈとなり、モニタに表示されるのは放送局Ｘのチャンネル３ｃｈ、「番組３」が表示されたままである。
【００４７】
さらに車が移動して放送エリアＢの中に車が入ると、番組情報放送局ＦＦから図３のすべての番組情報、チャンネル情報、送信局位置情報を入手すると、受信番組情報選択器２７から出力される番組情報２９は「番組３」になる。番組情報２９が「番組３」になると、同一番組情報選択器２８からは「番組１」に相当するチャンネル情報３０と送信局位置情報３１が同一番組情報選択器２８から出力される。つまり放送局Ｘの３ｃｈ、緯度１０／経度１０と放送局Ｘの９ｃｈ、緯度２０／経度１５が同一番組情報選択器２８から出力される。
【００４８】
一方、ＧＰＳ信号２０を元に位置検出器２２からは、緯度１２／経度２０の受信位置情報２６が出力されるとすると、チャンネル情報選択器３２で同一番組情報選択器２８から出力された送信局位置情報３１で最も近い位置にある送信局のチャンネル情報を選択し、チャンネル情報３３として出力される。つまりチャンネル情報３３からは放送局Ｘのチャンネル３ｃｈ（番組３）が出力される。また放送エリアＢにおいて最も近い位置にある放送局Ｘのチャンネル３ｃｈ（番組３）が選択されたということは、放送局Ｘのチャンネル３ｃｈ（番組３）は放送エリアＡにあることから、現在の受信位置（放送エリアＢ）からある一定以上の距離が離れていると判断し、チャンネル情報選択器３２から出力されるチャンネル有無情報４５は、チャンネル無しの情報（放送エリアＢでは番組３は行っていない）をマイコン１７に伝える。
【００４９】
そこで、マイコン１７は現在の受信位置では以前に受信していた放送局Ｘのチャンネル３ｃｈと同じ番組３を放送していないと判断し、番組情報受信機２１からマイコン１７に入力されるチャンネル情報２４をもとにすべてのチャンネルを順番に選局して、すべてのチャンネルの番組の映像情報をモニタ１５に表示させ、視聴者に次に視聴するチャンネルを選択させるようにする。
【００５０】
ここで、番組情報送信局ＥＥ、番組情報送信局ＦＦ、番組情報送信局ＧＧ、番組情報送信局ＨＨのチャンネル情報、送信局位置情報はあらかじめ番組情報受信機２１に登録されていることを前提にしている。
【００５１】
また、（実施の形態１）では、地上放送の送信局位置情報２５が確定していない場合を例に挙げて説明しているが、送信局位置情報２５が確定している場合には、送信局位置情報をあらかじめ番組情報受信機２１に登録し、番組情報放送信号１９は番組情報２３、チャンネル情報２４のみを放送することも可能である。
【００５２】
これにより以前に見ていた番組が現在の受信位置で放送されていない場合、視聴者に次に視聴するチャンネルを選択させる機会を設けることができる。
【００５３】
【発明の効果】
以上のように、本発明の放送受信装置によれば、受信機の存在する位置周辺で放送されている地上放送の番組情報、チャンネル情報、送信局位置情報をすでに全地域で放送されているＦＭ多重放送などで放送することにより、地上放送信号の番組の情報量（映像、音声などの情報量）を減らすことなく、受信位置の移動により放送エリアが変化しても、移動先の放送エリアで移動前の放送エリアで受信していた番組と同じ番組が放送されている場合には、自動的に同じ番組に切り換えることができる。
【００５４】
また移動先の放送エリアで移動前の放送エリアで受信していた番組と同じ番組が放送されていない場合には、視聴者に次に視聴する番組を選択させる機会を持たせることで、移動先放送エリアでも映像、音声が途切れた状態にすることなく新たな番組を視聴することができる。
【図面の簡単な説明】
【図１】本発明の地上放送と番組情報放送の送信局の放送エリアの一例を示す図
【図２】本発明の放送エリアＡで番組情報放送局ＥＥが放送しているチャンネル情報、番組情報、送信局位置情報の一覧表を示す図
【図３】本発明の放送エリアＢで番組情報放送局ＦＦが放送しているチャンネル情報、番組情報、送信局位置情報の一覧表を示す図
【図４】本発明の実施の形態１における放送受信装置の構成図
【図５】本発明の実施の形態２における放送受信装置の構成図
【図６】本発明の実施の形態２における地上放送受信機の構成図
【図７】本発明の実施の形態３における放送受信装置の構成を示す図
【図８】従来例の地上放送の送信局の放送エリアの一例を示す図
【符号の説明】
１  送信局ＡＡ
２  送信局ＢＢ
３  送信局ＣＣ
４  送信局ＤＤ
５  番組情報送信局ＥＥ
６  番組情報送信局ＦＦ
７  番組情報送信局ＧＧ
８  番組情報送信局ＨＨ
９  放送エリアＡ
１０  放送エリアＢ
１１  放送エリアＣ
１２  放送エリアＤ
１３  地上放送信号
１４  地上放送受信機
１５  モニタ
１６  チャンネル選局情報
１７  マイコン
１８  受信チャンネル情報
１９  番組情報放送信号
２０  ＧＰＳ信号
２１  番組情報受信機
２２  位置検出器
２３、２９  番組情報
２４、３０、３３  チャンネル情報
２５、３１  送信局位置情報
２６  受信位置情報
２７  受信番組情報選択器
２８  同一番組情報選択器
３２  チャンネル情報選択器
３４  選局チャンネル
３５  受信状態検出信号
３６  チューナ
３７  自動利得制御器
３８  ＡＭ／ＦＭ復調器
３９  ＯＦＤＭ／８ＶＳＢ復調器
４０  誤り率検出器
４１  誤り率
４２  信号レベル
４３  受信状態検出器
４４  受信状態検出信号
４５  チャンネル有無情報
【図１】
2004336093.tif 000003
【図２】
2004336093.tif 000004
【図３】
2004336093.tif 000005
【図４】
2004336093.tif 000006
【図５】
2004336093.tif 000007
【図６】
2004336093.tif 000008
【図７】
2004336093.tif 000009
【図８】
2004336093.tif 000010